(57)【特許請求の範囲】
【請求項１】
映像のマルチビュー表示が可能な表示部を有し、記録媒体に記録された楽曲を再生する音声再生システムであって、
予約して再生する楽曲の識別情報を一時記憶部に予約リストとして登録する予約登録部と、
再生する楽曲を指示する操作がなされたことを検出する操作検出部と、
上記操作検出部により所望の楽曲の再生が指示されたことを検出したときに、所定の条件を満たすか否かを判定し、上記所定の条件を満たす場合には上記予約登録部を制御して上記所望の楽曲を予約して後から再生するようにし、上記所定の条件を満たさない場合には上記所望の楽曲を直ちに再生するように制御する再生制御部とを備えたことを特徴とする音声再生システム。
【請求項２】
上記操作検出部は、上記表示部に対するタッチ操作の検出を行なうタッチ検出部であることを特徴とする請求項１に記載の音声再生システム。
【請求項３】
上記操作検出部により所望の楽曲の再生が指示されたことを検出したときに、その操作者を検出する操作者検出部と、
上記操作検出部により所望の楽曲の再生が指示されたことを検出したときに、再生中の楽曲を指定した操作者が、上記操作者検出部により検出された操作者と異なる者であるか否かを判定する操作者判定部とを備え、
上記再生制御部は、上記再生中の楽曲を指定した操作者が上記操作者検出部により検出された操作者と異なる者であると上記操作者判定部により判断されたときに、上記予約登録部を制御して上記操作により指定された楽曲の再生を予約することを特徴とする請求項１に記載の音声再生システム。
【請求項４】
上記操作検出部により所望の楽曲の再生が指示されたことを検出したときに、その操作者を検出する操作者検出部と、
上記操作検出部により所望の楽曲の再生が指示されたことを検出したときに、再生中の楽曲を指定した操作者が、上記操作者検出部により検出された操作者と異なる者であるか否かを判定する操作者判定部と、
上記操作検出部により所望の楽曲の再生が指示されたことを検出したときに、上記一時記憶部の予約リスト中に既に登録済みの楽曲が存在するか否かを判定するリスト判定部とを備え、
上記再生制御部は、上記再生中の楽曲を指定した操作者が上記操作者検出部により検出された操作者と異なる者であるか、上記一時記憶部の予約リスト中に既に登録済みの楽曲が存在するかの何れかの条件を満たすときに、上記予約登録部を制御して上記タッチ操作により指定された楽曲の再生を予約することを特徴とする請求項１に記載の音声再生システム。
【請求項５】
上記一時記憶部の予約リストに登録されている楽曲を上記表示部に表示するように制御する表示制御部を備えたことを特徴とする請求項１〜４の何れか１項に記載の音声再生システム。
【請求項６】
映像のマルチビュー表示が可能な表示部を有し、記録媒体に記録された楽曲を再生する音声再生システムにおいて、
再生する楽曲を指示する操作の検出を行なう第１のステップと、
上記操作により所望の楽曲の再生が指示されたときに、再生する楽曲の識別情報を予約リストとして一時的に格納する一時記憶部の中に既に登録済みの楽曲が存在するか否かを判定する第２のステップと、
上記第１のステップで検出された操作の操作者を検出する第３のステップと、
上記所望の楽曲の再生が指示されたときに再生中の楽曲を指定した操作者が、上記第３のステップで検出された操作者と異なる者であるか否かを判定する第４のステップと、
上記再生中の楽曲を指定した操作者が上記ステップ３で検出された操作者と異なる者であるか、上記一時記憶部の予約リスト中に既に登録済みの楽曲が存在するかの何れかの条件を満たすときに、上記所望の楽曲の識別情報を上記一時記憶部に登録する第５のステップとを有することを特徴とする音声再生方法。
【発明の詳細な説明】
【技術分野】
【０００１】
本発明は、音声再生システムおよび音楽再生方法に関し、特に、１つの表示画面において観察する方向により異なる映像を見ることができるように成された、いわゆるマルチビューディスプレイを備えたシステムに用いて好適なものである。
【背景技術】
【０００２】
従来、１つの表示画面において観察する方向により異なる映像を見ることができるように成されたデュアルビューディスプレイが提供されている（例えば、特許文献１参照）。例えば、デュアルビューディスプレイをカーナビゲーションシステムの車載用表示装置として用いた場合、運転席側にはナビゲーション映像を表示し、助手席側にはテレビ映像やＤＶＤ（Digital Versatile Disk）映像などを表示することが可能となる。
【特許文献１】特開２００５−７１２８６号公報
【０００３】
デュアルビューディスプレイを実現する技術として、視差バリアを用いたものや、レンチキュラーレンズを用いたものが存在する。図８は、視差バリアを用いたデュアルビューディスプレイの原理を説明するための図である。図８に示すように、デュアルビューディスプレイは、スイッチ液晶１０１とＴＦＴ（Thin Film Transistor）液晶１０２との組み合わせにより構成されている。
【０００４】
スイッチ液晶１０１には、光学的な視差バリア１０３が等しい間隔を空けて複数設けられている。視差バリア１０３は、光（液晶のバックライト）の進行方向を制御し、左右の観察位置１０６，１０７に異なる光が届くように光を分離している。また、ＴＦＴ液晶１０２では、交互に配置された左用画素群１０４と右用画素群１０５とにそれぞれ左用画像と右用画像とを交互に表示している。
【０００５】
視差バリア１０３を通過して左用画素群１０４を通った光は左の観察位置１０６に届き、視差バリア１０３を通過して右用画素群１０５を通った光は右の観察位置１０７に届く。これにより、１つのＴＦＴ液晶１０２の表示画面上において、観察する方向により異なる映像を見ることができるようになる。
【０００６】
ところで、液晶表示パネルを用いた機器にあっては、リモートコントローラの操作に限らず、液晶表示パネルに表示される映像をタッチパネルの操作によって操作することができるものがある。タッチパネルは、液晶表示パネルの前面に重ね合わされるものであり、液晶表示パネルに表示される動作選択の指示に応じたバーやキースイッチ等にタッチすることで、タッチ操作コントロールを行なうことができる。
【０００７】
上述のデュアルビューディスプレイにもタッチパネルを適用することが可能である。ただし、この場合は、デュアルビューディスプレイの特徴である“左右独立表示”と合わせて、運転者と助手席の同乗者とがそれぞれ用に表示された映像に対する操作を独立して行えるようにする必要がある。また、タッチパネルにタッチした者が運転者であるか同乗者であるかを識別し、そのタッチパネルの操作を運転者または同乗者が視聴している映像に対応させる必要もある。
【０００８】
上記特許文献１に記載の発明では、タッチ操作が何れの映像に対して有効であるかの判断を容易かつ確実に行なうための工夫が成されている。すなわち、タッチパネルに視聴者Ａタッチ専用エリアおよび視聴者Ｂタッチ専用エリアを設けておき、どちらのエリアがタッチされたのかを判断して、タッチされた側のエリアに対応する映像の操作メニューを表示するようにしている。
【０００９】
ところで、車載機の中には、カーナビゲーション機能に加えて、テレビ映像やＤＶＤ映像の再生機能や音楽の再生機能を有するものも存在する。この種のオーディオ一体型ナビゲーションシステムに上述のデュアルビューディスプレイを用いれば、例えば運転席側でナビゲーション映像を表示し、助手席側で所望の音楽を選択して再生させることが可能となる。また、運転席側と助手席側の双方で所望の音楽を選択して再生させることも可能である。
【発明の開示】
【発明が解決しようとする課題】
【００１０】
しかしながら、運転席側と助手席側との双方で音楽の再生を行なっている場合は、運転席側と助手席側とのどちら側から楽曲が選択されたかに関わらず、新たに選択された楽曲を優先して再生していた。例えば、助手席側で選んだ楽曲を再生している際に、運転席側で新たに楽曲の再生指示をすると、助手席側で選んだ楽曲の再生がその時点で中断し、運転席側で選んだ楽曲が優先して再生されてしまうという問題を生じていた。
【００１１】
本発明は、このような問題を解決するために成されたものであり、マルチビューディスプレイにおいて、一のユーザが選んだ楽曲の再生中に、他のユーザによって新たに楽曲の再生指示がされても、再生中の楽曲が途中で中断してしまうという不都合を防止できるようにすることを目的とする。
【課題を解決するための手段】
【００１２】
上述した課題を解決するため、映像のマルチビュー表示が可能な表示部を有する音声再生システムで、所望の楽曲の再生が指示されたことを操作検出部で検出すると、再生制御部は所定の条件を満たすか否かを判定し、所定の条件を満たす場合には予約登録部を制御して、所望の楽曲の識別情報を一時記憶部に予約リストとして登録して後から再生するようにし、所定の条件を満たさない場合には所望の楽曲を直ちに再生するよう制御した。
【発明の効果】
【００１３】
上記のように構成した本発明によれば、再生中の楽曲を選択した操作者と異なる操作者から楽曲の再生指示を受けても、その楽曲は予約曲として予約リストに登録され、再生中の楽曲が終了してから予約された楽曲が再生されるようになるため、再生中の楽曲が途中で中断してしまうという不都合を回避することができる。
【発明を実施するための最良の形態】
【００１４】
以下、本発明の一実施形態を図面に基づいて説明する。図１は、本実施形態による音声再生システムの構成例を示す図である。図１に示すように、本実施形態の音声再生システム１０は、ナビゲーションコントロールユニット２０、オーディオコントロールユニット３０、映像選択部４０、表示制御部５０、表示装置（デュアルビューディスプレイ）６０、音声選択部７０、アンプ８０、スピーカ９０、モーションセンサ１００、およびコントローラ２００を備えて構成されている。
【００１５】
ナビゲーションコントロールユニット２０は、自立航法センサやＧＰＳ受信機などを用いて車両の現在位置を検出し、自車位置近傍の地図データを記録媒体から読み出して画面上に表示したり、音声によって経路をアナウンスしたりすることによって走行案内を行なうものである。このナビゲーションコントロールユニット２０からは地図画像データおよび音声データが出力される。地図画像データは映像選択部４０に供給され、音声データは音声選択部７０に供給される。
【００１６】
オーディオコントロールユニット３０は、ＣＤ（compact disk）、ＤＶＤ（Digital Versatile Disc）、ＨＤＤ（hard disk drive）などの記録媒体に記録されている音楽データをもとに楽曲を再生して音声を出力するものである。この、オーディオコントロールユニット３０からは、ユーザにより選択された楽曲に対応する音声データやその属性情報、プレイリストなどの楽曲選択メニューが出力される。音声データは音声選択部７０に供給され、属性情報や楽曲選択メニューは映像選択部４０に供給される。属性情報は、コントローラ２００にも供給される。
【００１７】
ここで、ＨＤＤ上の音楽データは、ＣＤやＤＶＤから転送して記録したもの、通信ネットワークを介してサーバからダウンロードしたもの等である。ＣＤやＤＶＤの音楽をＨＤＤに録音すると、それらの収録内容を表すプレイリストが作成され、ＨＤＤに記録される。また、サーバからダウンロードした楽曲を含めて、ユーザが自分好みのプレイリストを作成することも可能である。再生時には、画面上に表示されたプレイリストの中からユーザが所望のものを選択することにより、ＨＤＤに記録されている音楽データを再生することがきるようになっている。その際、プレイリストに登録された全楽曲の順次再生、またはプレイリストの中から任意の楽曲を選んでの再生を行なうことが可能である。
【００１８】
ＣＤやＤＶＤの再生に際して出力される属性情報は、ＣＤやＤＶＤであることを表すメディア情報およびＴＯＣ（Table of contents）情報を含んでいる。ＴＯＣ情報とは、ＣＤやＤＶＤ等の記録内容を示す目次、目録であり、録音されている楽曲の曲数や曲名、アーティスト名、演奏時間、トラック情報等が含まれている。また、ＨＤＤ上の楽曲の再生に際して出力される属性情報は、ＨＤＤであることを表すメディア情報およびプレイリストに記録されている情報である。プレイリストには、録音されている楽曲の曲名、アーティスト名、演奏時間等の情報が含まれている。
【００１９】
映像選択部４０は、ナビゲーションコントロールユニット１１から出力される地図画像データ、オーディオコントロールユニット３０から出力される属性情報や楽曲選択メニュー情報を入力し、これらの中から何れか１つまたは２つを選択的に出力する。表示制御部５０は、映像選択部４０から出力されたデータに基づいて、デュアルビューディスプレイ６０に対して表示に必要なデータを出力することにより、デュアルビューディスプレイ６０に地図や楽曲の属性、プレイリスト等の楽曲選択メニューを表示させる。
【００２０】
デュアルビューディスプレイ６０は、表示パネル６０ａ（本発明の表示部に相当）およびタッチパネル６０ｂ（本発明の操作検出部およびタッチ検出部に相当）を備えている。表示パネル６０ａは、表示制御部５０から出力されたデータに基づき映像を表示するものであり、図８のように構成されていて、映像のデュアルビュー表示を行なうことが可能となっている。例えば、右座席が運転席の場合、音楽ソースとしてＣＤとＨＤＤとを選択し、左用画素群１０４にＣＤの属性情報や楽曲選択メニューを出力するとともに、右用画素群１０５にＨＤＤの属性情報や楽曲選択メニューを出力することにより、助手席側にはＣＤ関連の情報を表示し、運転席側にはＨＤＤ関連の情報を表示することが可能となる。
【００２１】
なお、運転席側と助手席側とで同じ音楽ソースを選択し、それに関連する情報を左用画素群１０４にも右用画素群１０５にも出力することにより、運転席と助手席の両方から同じ映像を見ることができるようにすることも可能である。
【００２２】
タッチパネル６０ｂは、表示パネル６０ａの前面に重ね合わされ、ユーザによるタッチ操作を検出する。ここで、タッチパネル６０ａをユーザが触れたか否かを検出するためには、例えば抵抗膜方式や赤外線方式等が使用される。また、タッチパネル６０ｂは、当該パネルへのユーザのタッチ位置を検出してその座標データを出力する。
【００２３】
音声選択部７０は、ナビゲーションコントロールユニット２０から出力される音声データ、オーディオコントロールユニット３０から出力される音声データを入力し、これらの中から何れか１つを選択的に出力する。アンプ８０は音声選択部７０から出力された音声を増幅し、増幅された音声はスピーカ９０にて出力される。
【００２４】
モーションセンサ１００は、タッチパネル６０ｂに対するタッチ操作の操作者が運転者であるか同乗者であるかを検出するものであり、本発明の操作者検出部に相当する。モーションセンサ１００は、操作者の３次元的な動きを検出するものであり、様々な手段により実現することが可能である。例えば、タッチパネル６０ｂの付近に赤外線を照射して、その赤外線照射エリア内で操作者の手が動く際に起こる赤外線の変化を検出することにより、運転席側と助手席側とのどちらの方から操作者の手が赤外線照射エリアに入ったかをみて、操作者が運転者であるか同乗者であるかを検出することが可能である。
【００２５】
なお、ここでは赤外線を用いる例について説明したが、可視光線や超音波などを用いても良い。また、カメラを設置してタッチパネル６０ｂの付近を撮影し、撮影された画像データを認識処理することによって操作者の判別を行なうようにすることも可能である。また、運転席用のメニューと助手席用のメニューとを画面内の異なる位置に表示し、どちらのメニューに対する操作かをタッチ位置の座標データに基づいて判定するようにしても良い。このようにすれば、モーションセンサ１００を用いることなく、タッチパネル６０ｂにタッチした者が運転者であるか同乗者であるかを識別することが可能である。
【００２６】
コントローラ２００は、音声再生システム１０の全体を制御する。このコントローラ２００は、例えば、ＣＰＵ、ＲＯＭおよびＲＡＭから成るマイクロコンピュータにより構成されている。ＲＯＭには、音声再生システム１０を制御するための各種プログラムが記憶されている。ＣＰＵは、ＲＯＭに記憶されている各種プログラムに従って、ＲＡＭをワークメモリとして使用しながら各種の制御を実行する。
【００２７】
図２は、コントローラ２００が有する機能構成を示すブロック図である。図２に示すように、本実施形態のコントローラ２００は、その機能構成として、一時記憶部２０１、予約登録部２０２、操作者判定部２０３、リスト判定部２０４および再生制御部２０５を備えている。一時記憶部２０１は、予約リストを記憶するものである。この予約リストは、予約して再生する楽曲の識別情報を、ユーザにより指定された順に登録したものである。
【００２８】
図３は、一時記憶部２０１に記憶される予約リストの一例を示す図である。図３に示すように、予約リストには、操作者により選択された楽曲が記録されているメディアを特定するためのメディア情報と、メディア上の記録位置を表す位置情報（メディアがＨＤＤの場合はアドレスやファイル名など、メディアがＣＤやＤＶＤの場合はトラック番号など）とが対応付けられた楽曲識別情報が記憶されている。また、楽曲識別情報には、助手席側および運転席側のどちらから楽曲の選択が行われたかを識別するための操作者情報が対応付けられて記憶されている。
【００２９】
例えば、図３に示す符号３０１では、楽曲「Ｚ」の記録場所を特定するための楽曲識別情報として、楽曲「Ｚ」がＨＤＤ上に記録されていることを示すメディアの種類と、当該ＨＤＤ上における楽曲「Ｚ」の記録位置を示すアドレスとが記憶されている。また、この楽曲識別情報に対応付けて、この楽曲「Ｚ」が右側（運転席側）の操作者から選択されたことを示す操作者情報「Ｒｉｇｈｔ」が記憶されている。
【００３０】
また、符号３０２では、楽曲「Ａ」の記録場所を特定するための楽曲識別情報として、楽曲「Ａ」がＣＤ上に記録されていることを示すメディアの種類と、当該ＣＤ上における楽曲「Ａ」の記録位置を示すトラック番号とが記憶されている。また、この楽曲識別情報に対応付けて、この楽曲「Ａ」が左側（助手席側）の操作者から選択されたことを示す操作者情報「Ｌｅｆｔ」が記憶されている。
【００３１】
さらに、符号３０３では、楽曲「Ｘ」の記録場所を特定するための楽曲識別情報として、楽曲「Ｘ」がＨＤＤ上に記録されていることを示すメディアの種類と、当該ＨＤＤ上における楽曲「Ｘ」の記録位置を示すアドレスとが楽曲識別情報として記憶されている。また、この楽曲識別情報に対応付けて、この楽曲「Ｘ」が右側（運転席側）の操作者から選択されたことを示す操作者情報「Ｒｉｇｈｔ」が記憶されている。
【００３２】
図３の例では、３つの楽曲が「Ｚ」→「Ａ」→「Ｘ」の順に一時記憶部２０１に予約リストとして登録されたことを示している。すなわち、新たな楽曲を予約リストに登録するときは、予約リストの最後尾に順次追加される。なお、予約リストに基づいて楽曲の再生を行なうときは、予約リストの先頭から順に行われる。すなわち、予約リスト中の楽曲が「Ｚ」→「Ａ」→「Ｘ」の順に再生される。
【００３３】
予約登録部２０２は、予約して再生する楽曲の識別情報を、再生制御部２０５の制御に基づき一時記憶部２０１に予約リストとして登録する。再生制御部２０５の制御については後述する。
【００３４】
操作者判定部２０３は、タッチパネル６０ｂでタッチ操作が検出されたときに、オーディオコントロールユニット３０により現在再生中の楽曲が、モーションセンサ１００により検出された操作者と異なる者により指定された楽曲であるか否かを判定する。言い換えると、操作者判定部２０３は、現在再生中の楽曲を指定した操作者が、モーションセンサ１００により検出された操作者と異なる者か否かを判定する。現在再生中の楽曲を指定した操作者が誰であるかについては、後述するように、楽曲の再生を制御している再生制御部２０５が把握している。
【００３５】
リスト判定部２０４は、タッチパネル６０ｂでタッチ操作が検出されたときに、一時記憶部２０１の予約リスト中に既に登録済みの楽曲が存在するか否かを判定する。
【００３６】
再生制御部２０５は、操作者判定部２０３およびリスト判定部２０４によるそれぞれの判定結果に応じて、タッチパネル６０ｂに対するタッチ操作により再生指示された所望の楽曲を直ちに再生するようにオーディオコントロールユニット３０を制御するか、所望の楽曲を予約リストに予約して後から再生するように予約登録部２０５を制御する。
【００３７】
すなわち、再生制御部２０５は、再生中の楽曲を指定した操作者がモーションセンサ１００により検出された操作者と異なるか、一時記憶部２０１の予約リスト中に既に登録済みの楽曲が存在するかの何れかの条件を満たすときに、タッチ操作により指定された楽曲の再生を予約するように予約登録部２０２を制御する。この制御に基づき予約登録部２０２は、指定された楽曲の識別情報を一時記憶部２０１に登録する。ここで予約する楽曲の識別情報は、オーディオコントロールユニット３０から取得する。そして、再生制御部２０５は、再生中の楽曲が終了した後に、予約リストに登録した楽曲を再生するようにオーディオコントロールユニット３０を制御する。予約リストに登録されている楽曲の再生が開始されると、予約登録部２０２は、再生した楽曲の登録を予約リストから削除する。
【００３８】
再生制御部２０５が一時記憶部２０１の予約リストを参照して先頭の予約曲の再生を開始したとき、予約リストから削除される予約曲（再生を開始した楽曲）の操作者情報を再生制御部２０５が一時記憶部２０１から取得する。これにより、再生中の楽曲が左右どちらのユーザにより指定されたものであるかを再生制御部２０５が把握できるようにする。
【００３９】
なお、予約リストからの楽曲再生ではなく、タッチ操作により指定された楽曲を直ちに再生したときには、モーションセンサ１００での検出結果を再生制御部２０５が操作者判定部２０３から取得することにより、直ちに再生を開始した楽曲が左右どちらのユーザにより指定されたものであるかを再生制御部２０５が把握できるようにする。
【００４０】
そして、その後タッチパネル６０ｂでタッチ操作が検出されたときに、操作者判定部２０３は、再生中の楽曲が左右どちらのユーザにより指定されたものであるかを再生制御部２０５に問い合わせ、モーションセンサ１００により検出された操作者と異なる者であるか否かを判定する。
【００４１】
なお、ここでは、予約曲の再生を開始した時点で予約リストから登録を削除する例について説明したが、予約曲の再生が終了した時点で予約リストから登録を削除するようにしてもよい。このようにすれば、再生中の楽曲の操作者情報は、一時記憶部２０１が保持することとなるので、操作者判定部２０３は、この予約リストの操作者情報を用い、再生中の楽曲を指定した操作者が、モーションセンサ１００により検出された操作者と異なる者であるか否かを判定することができる。
【００４２】
次に、上記のように構成した本実施形態による音声再生システム１０の動作を説明する。図４は、運転席側および助手席側の操作画面の一例を示す図である。図４（ａ）は、助手席側（左側）で楽曲の再生が行なわれており、運転席側（右側）でナビゲーション映像の表示が行なわれている例を示している。このように、どちらか一方でのみ楽曲の再生をしている場合には、タッチパネル６０ｂに対するタッチ操作によって楽曲の再生指示が行なわれると、再生制御部２０５は、再生中の楽曲を途中で中断し、再生指示された楽曲に直ちに切り替えて再生する。
【００４３】
一方、図４（ｂ）に示すように、助手席側（左側）および運転席側（右側）の双方で楽曲の再生操作が行なわれる場合には、再生制御部２０５は、操作者判定部２０３およびリスト判定部２０４によるそれぞれの判定結果に応じて、タッチパネル６０ｂに対するタッチ操作により指示された楽曲を直ちに再生するか、指示された楽曲を予約リストに登録して後から再生するかを制御する。
【００４４】
図５は、本実施形態による音声再生システム１０の動作例を示すフローチャートである。図５において、再生制御部２０５は、タッチパネル６０ｂから出力される座標データに応じて、タッチパネル６０ｂへのタッチ操作により楽曲の再生が指示されたかどうかを判定する（ステップＳ１）。ここで、タッチ操作が検出されない場合は、再生制御部２０５は、ＣＤやＤＶＤ、プレイリストに記録されている楽曲全ての再生が終了したか否かを判定し（ステップＳ２）、終了していない場合は、ステップＳ１の処理を繰り返す。また、ステップＳ２で全ての楽曲の再生が終了したと判定した場合には処理を終了する。
【００４５】
一方、ステップＳ１でタッチ操作が検出されると、再生制御部２０５は、現在楽曲が再生中であるか否か判定する（ステップＳ３）。ここで、楽曲が再生中でない場合には、後述するステップＳ７に移行して、タッチ操作により選択された楽曲の再生を直ちに行なう。一方、楽曲が再生中であると判定した場合には、リスト判定部２０４は、再生制御部２０５からの制御に従って、一時記憶部２０１の予約リスト中に既に登録済みの楽曲が存在するか否かを判定する（ステップＳ４）。
【００４６】
ここで、予約リストに楽曲が何も登録されていない場合には、操作者判定部２０３は、再生中の楽曲を指定した操作者（再生制御部２０５により把握されている）が、モーションセンサ１００により検出された、ステップＳ１のタッチ操作の操作者と異なる者であるか否かを更に判定する（ステップＳ５）。
【００４７】
そして、ステップＳ４で予約リスト中に既に登録済みの楽曲が存在するとリスト判定部２０４により判定されるか、ステップＳ５で異なる操作者であると操作者判定部２０３により判定された場合には、再生制御部２０５は、ステップＳ１で選択された楽曲の楽曲識別情報およびモーションセンサ１００により検出された操作者情報を一時記憶部２０１の予約リストに登録するよう予約登録部２０２を制御する（ステップＳ６）。
【００４８】
また、ステップＳ４で一時記憶部２０１の予約リスト中に既に登録済みの楽曲が存在しないと判断され、かつ、ステップＳ５で異なる操作者でもないと判断された場合には、再生制御部２０５は、再生中の楽曲を中断し、ステップＳ１で選択された楽曲を優先して直ちに再生する（ステップＳ７）。
【００４９】
さて、ステップＳ６で予約リストへの登録を行なうか、ステップＳ７で選択曲の再生を行なうと、次に再生制御部２０５は、再生中の楽曲の再生が終了したか否かを判定する（ステップＳ８）。ここで、まだ再生の途中であると判定した場合には、再生制御部２０５は、タッチパネル６０ｂへのタッチ操作により楽曲の再生が新たに指示されたか否かを判定する（ステップＳ９）。タッチ操作が検出された場合にはステップＳ３の処理に戻り、タッチ操作が検出されない場合にはステップＳ８の処理を繰り返す。
【００５０】
一方、ステップＳ８にて楽曲の再生が終了したと判定すると、再生制御部２０５はリスト判定部２０４を制御して、一時記憶部２０１の予約リストに既に登録済みの楽曲が存在するか否か（予約があるか否か）を判定する（ステップＳ１０）。ここで、予約リストに楽曲の登録があると判定した場合には、再生制御部２０５は、予約リストの先頭に登録されている楽曲の再生を開始させ（ステップＳ１１）、再生を開始した楽曲の登録を予約リストから削除し（ステップＳ１２）、ステップＳ１へ戻る。
【００５１】
また、再生制御部２０５は、ステップＳ１０にて予約リストに登録がないと判定された場合には、ＣＤやＤＶＤ、プレイリストに記録されている楽曲全ての再生が終了したか否かを判定し（ステップＳ１３）、全て再生が終了したと判定した場合には処理を終了する。一方、楽曲全ての再生が終了していない場合には、再生制御部２０５は、ＣＤやＤＶＤ、プレイリストに記録されている次の楽曲を再生させ（ステップＳ１４）、ステップＳ１の処理に戻る。
【００５２】
以上詳しく説明したように、本実施形態によれば、デュアルビューディスプレイ６０の一方の表示画面で一のユーザにより指定された楽曲の再生中に、他方の表示画面において他のユーザから楽曲の再生指示を受け付けたときでも、他方から受け付けた楽曲を予約リストに登録して、再生中の楽曲が終了してから予約リストに登録されている楽曲を再生するようにしたので、再生中の楽曲が途中で中断してしまうという不都合を回避することができるようになる。
【００５３】
なお、上記実施形態において、図５のフローチャートでは、プレイリストやＣＤ、ＤＶＤの中の１曲の再生が終了した時点で、予約リストに登録があれば予約曲の再生に移行する例について説明したが（ステップＳ８，Ｓ１０，Ｓ１１）、本発明はこれに限定されない。例えば、プレイリストやＣＤ、ＤＶＤに記録された楽曲の全曲が終了した時点で、予約リストに登録されている楽曲を再生するようにしてもよい。
【００５４】
また、上記実施形態では、ステップＳ４およびステップＳ５において、再生中の楽曲を指定した操作者が、ステップＳ１で楽曲の再生指示を行なった操作者と異なる者であるか、一時記憶部２０１の予約リスト中に既に登録済みの楽曲が存在するかの何れかの条件を満たすときに、指定された楽曲の楽曲識別情報を一時記憶部２０１の予約リストに登録する例について説明したが、これに限られるものではない。
【００５５】
例えば、ステップＳ４を省き、再生中の楽曲を指定した操作者が、モーションセンサ１００により検出された操作者と異なる者であると操作者判定部２０３により判断されたときに、ステップＳ１のタッチ操作で指定された楽曲の再生を予約するようにしてもよい。このようにしても、異なる操作者から楽曲の再生指示があった場合に、再生中の楽曲が終了してから、再生指示のあった楽曲を再生するよう制御することができる。
【００５６】
また、上記実施形態では、タッチ操作により再生指示があったとき、まず操作者判定部２０３およびリスト判定部２０４により所定の条件を満たすか否かを判定し、所定の条件を満たす場合にのみ一時記憶部２０１の予約リストに楽曲を登録する例について説明した。しかし、本発明はこれに限定されない。例えば、再生指示のあった楽曲は全て予約リストに一度登録し、再生制御部２０５が常に予約リストを参照して楽曲の再生を行なうようにしてもよい。
【００５７】
図６は、このように再生指示のあった楽曲の全てを予約リストに登録する場合の音声再生システム１０の動作例を示すフローチャートである。図６において、再生制御部２０５は、タッチパネル６０ｂから出力される座標データに応じて、タッチパネル６０ｂへのタッチ操作により楽曲の再生が指示されたかどうかを判定する（ステップＳ２１）。ここで、タッチ操作が検出されない場合は、再生制御部２０５は、ＣＤやＤＶＤ、プレイリストに記録されている楽曲全ての再生が終了したか否かを判定し（ステップＳ２２）、終了していない場合は、ステップＳ２１の処理を繰り返す。また、ステップＳ２２で全ての楽曲の再生が終了したと判定した場合には処理を終了する。
【００５８】
一方、ステップＳ２１でタッチ操作が検出されると、再生制御部２０５は、タッチ操作により選択された楽曲を一時記憶部２０１の予約リストの先頭に登録するよう予約登録部２０２を制御する（ステップＳ２３）。そして、現在楽曲が再生中であるか否か判定する（ステップＳ２４）。ここで、楽曲が再生中でない場合には、予約リストの先頭に登録されている楽曲（ステップＳ２３で登録されたばかりの楽曲）を再生し（ステップＳ２５）、再生した楽曲の登録を予約リストから削除する（ステップＳ２６）。
【００５９】
一方、ステップＳ２４で楽曲が再生中であると判定された場合には、操作者判定部２０３は、再生中の楽曲を指定した操作者（再生制御部２０５により把握されている）が、モーションセンサ１００により検出された、ステップＳ２１のタッチ操作の操作者と異なる者であるか否かを判定する（ステップＳ２７）。そして、操作者判定部２０３により異なる操作者ではないと判定された場合には、再生制御部２０５は、再生中の楽曲を中断して予約リストの先頭の楽曲（ステップＳ２３で登録されたばかりの楽曲）を再生し（ステップＳ２５）、再生した楽曲の登録を予約リストから削除する（ステップＳ２６）。
【００６０】
一方、異なる操作者であると操作者判定部２０３により判定された場合には、再生制御部２０５は、再生中の楽曲の再生が終了したか否かを判定する（ステップＳ２８）。ここで、まだ再生の途中であると判定した場合には、再生制御部２０５は、タッチパネル６０ｂへのタッチ操作により楽曲の再生が新たに指示されたかどうかを判定する（ステップＳ２９）。タッチ操作が検出された場合にはステップＳ２３の処理に戻り、タッチ操作が検出されない場合にはステップＳ２８の処理を繰り返す。
【００６１】
一方、ステップＳ２８にて楽曲の再生が終了したと判定すると、再生制御部２０５はリスト判定部２０４を制御して、一時記憶部２０１の予約リストに楽曲の予約があるか否かを判定する（ステップＳ３０）。ここで、予約リストに楽曲の登録があると判定した場合には、再生制御部２０５は、予約リストの先頭に登録されている楽曲の再生を開始させ（ステップＳ３１）、再生を開始した楽曲の登録を予約リストから削除し（ステップＳ３２）、ステップＳ２１へ戻る。
【００６２】
また、再生制御部２０５は、ステップＳ３０にて予約リストに楽曲の登録がないと判断した場合には、ＣＤやＤＶＤ、プレイリストに記録されている楽曲全ての再生が終了したか否かを判定し（ステップＳ３３）、全て再生が終了したと判定した場合には処理を終了する。一方、楽曲全ての再生が終了していない場合には、再生制御部２０５は、ＣＤやＤＶＤ、プレイリストに記録されている次の楽曲を再生させ（ステップＳ３４）、ステップＳ２１の処理に戻る。
【００６３】
このように、再生指示のあった楽曲を全て予約リストに登録し、再生制御部２０５が常に予約リストを参照して楽曲の再生を行なうようにしても、再生中の楽曲が終了してから、再生指示のあった楽曲を再生するよう制御することができるようになるため、上記と同様の効果を得ることができる。
【００６４】
また、表示制御部５０の制御によって、ユーザが所望の楽曲を選択する際に表示パネル６０ａに表示する楽曲選択メニューに、一時記憶部２０１の予約リストに登録されている楽曲をあわせて表示するようにしてもよい。また、現在再生中の楽曲をあわせて表示するようにしてもよい。さらに、予約リストに登録されている楽曲や現在再生中の楽曲に加えて、これらの楽曲を誰が選択したかの情報を対応付けて表示するようにしてもよい。さらに、ユーザが選択可能な楽曲のリストを一緒に表示するようにしてもよい。
【００６５】
図７は、この場合の表示画面の一例を示す図である。図７において、４０１は選曲リストであり、音楽ソースとしてＨＤＤを選択しているときには、ＨＤＤに記録されているプレイリストの一覧や、特定のプレイリストを選択した場合はそのプレイリストに含まれている楽曲の一覧が表示される。また、音楽ソースとしてＣＤやＤＶＤを選択しているときには、ＣＤやＤＶＤのＴＯＣ情報に基づいて、当該ＣＤやＤＶＤの収録曲が表示される。
【００６６】
４０２は選択曲一覧であり、現在再生中の楽曲および現在予約リストに登録されている楽曲が、その楽曲を左右どちらの操作者が選択したかを対応付けて表示されている。この選択曲一覧４０２は、例えばコントローラ２００が表示制御部５０を制御して、再生制御部２０５が把握している再生中の楽曲の楽曲識別情報や操作者情報と、予約リストに登録されている楽曲識別情報や操作者情報とを用いて作成する。
【００６７】
このように、選択曲一覧４０２を表示することで、再生中の楽曲や、既に予約リストに登録されている楽曲が何であるかが一目でわかり、異なる操作者が同じ楽曲を重複して選んでしまうことを避けることができる。
【００６８】
また、上記実施形態では、１つの表示パネル６０ａにおいて観察する方向により異なる２つの映像を見ることができるように成されたデュアルビューディスプレイの例について説明したが、異なる３つ以上の映像を見ることができるように成されたマルチビューディスプレイにも適用が可能である。
【００６９】
さらに、上記実施形態では、所望の楽曲を再生指示する操作がなされたことを検出する操作検出部としてタッチパネル６０ｂを使用した例について説明したが、タクトスイッチ等のメカニカルスイッチや、リモートコントローラからの赤外線や電波による操作信号を受信（受光）する受信部を操作検出部とすることも可能である。この場合、メカニカルスイッチやリモートコントローラ等のキー操作により所望の楽曲が選択される。
【００７０】
また、楽曲の選択操作の前に、操作者自らのキー操作により、その後の楽曲の選択操作が運転席側と助手席側とのどちらの操作者のものであるかを入力し、その操作信号に基づいてコントローラ２００の操作者判定部２０３が、再生中の楽曲を指定した操作者と異なる者である否かを判定するようにしてもよい（タッチパネルを使用する場合も同様）。
【００７１】
その他、上記実施形態は、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【図面の簡単な説明】
【００７２】
【図１】本実施形態による音声再生システムの構成例を示す図である。
【図２】本実施形態のコントローラが有する機能構成例を示すブロック図である。
【図３】本実施形態による予約リストの一例を示す図である。
【図４】本実施形態による運転席側および助手席側の操作画面の一例を示す図である。
【図５】本実施形態による音声再生システムの動作例を示すフローチャートである。
【図６】本実施形態による音声再生システムの他の動作例を示すフローチャートである。
【図７】本実施形態において再生中の楽曲および予約曲の一覧を表示パネルに表示した画面の一例を示す図である。
【図８】デュアルビューディスプレイの原理を示す図である。
【符号の説明】
【００７３】
１０  音声再生システム
２０  ナビゲーションコントロールユニット
３０  オーディオコントロールユニット
４０  映像選択部
５０  表示制御部
６０  表示装置
６０ａ  表示パネル
６０ｂ  タッチパネル
７０  音声選択部
８０  アンプ
９０  スピーカ
１００  モーションセンサ
２００  コントローラ
２０１  一時記憶部
２０２  予約登録部
２０３  操作者判定部
２０４  リスト判定部
２０５  再生制御部
【図１】
0004471950.tif 000002
【図２】
0004471950.tif 000003
【図３】
0004471950.tif 000004
【図４】
0004471950.tif 000005
【図５】
0004471950.tif 000006
【図６】
0004471950.tif 000007
【図７】
0004471950.tif 000008
【図８】
0004471950.tif 000009